(57)【要約】      （修正有）【課題】複数のグループ毎のオンオフ状態を表示するとともにグループ毎の照明器具をオン／オフ操作することができる操作ボタンと、全ての照明器具をオンオフするオールオンスイッチ及びオールオフスイッチを操作ボタンとは異なる態様で表示することができる監視端末器及びこの監視端末器を用いた照明制御システムを提供する。【解決手段】監視端末器４は、少なくとも一以上の照明器具で構成されるグループ毎のオン状態とオフ状態の少なくとも２つの表示状態に切り替わる操作ボタン１３Ａ〜１３Ｔをタッチパネルの表示画面中に複数表示する第１の操作ボタン表示部１３と、タッチパネルの表示画面中に前記照明器具の全てをオンオフさせるオンオフ操作を指示する一つのオールオンスイッチ１２ａ及びオールオフスイッチ１２ｂを前記操作ボタンと異なる態様で表示する第２の操作ボタン表示部１２と、を具備する。【選択図】図３
2017084815.tif 000002
【特許請求の範囲】
【請求項１】
少なくとも一以上の照明器具で構成されるグループ毎のオン状態とオフ状態の少なくとも２つの表示状態に切り替わる操作ボタンをタッチパネルの表示画面中に複数表示する第１の操作ボタン表示部と；
前記タッチパネルの表示画面中に前記照明器具の全てをオンさせるオン操作を指示する一つのオールオンスイッチ及び前記照明器具の全てをオフさせるオフ操作を指示する一つのオールオフスイッチを前記操作ボタンと異なる態様で表示する第２の操作ボタン表示部と；
を具備したことを特徴とする監視端末器。
【請求項２】
複数の照明器具と；
前記複数の照明器具を制御する制御部と；
この制御部と通信を行う請求項１に記載の監視端末器と；
を具備したことを特徴とする照明制御システム。。
【発明の詳細な説明】
【技術分野】
【０００１】
本発明の実施形態は、例えば、建物内の天井面に配設された複数の照明器具を遠隔制御する監視端末器及びこの監視端末器を用いた照明制御システムに関する。
【背景技術】
【０００２】
従来、例えば、オフィスビルや各種施設などでは、各フロアや各エリアなどの照明エリア毎に設置される照明器具などの照明負荷を遠隔制御する照明制御システムが採用されている。
【０００３】
この照明制御システムでは、照明制御装置である中央処理装置に伝送ラインを介して複数の照明用機器が通信可能に接続されており、各照明用機器は、中央処理装置からの制御信号によって制御される。また、中央処理装置と複数の照明用機器とが伝送ラインを介して通信することにより、中央処理装置は、照明用機器を統合的に管理することができるようになっている。
【０００４】
また、この照明制御システムにおける複数の照明器具は、遠隔操作可能な壁スイッチ等の監視端末器の手動操作に応じて操作信号が伝送ラインに出力され、この操作信号を受信した中央処理装置によってオン／オフが制御される。
【０００５】
従来の監視端末器は、例えば、グループ毎の照明器具を夫々遠隔操作するための複数個のタッチ操作部を有し、操作されたタッチ操作部に該当するグループの照明器具をオン／オフするための操作信号を生成し、この生成した操作信号を、伝送ラインを介して中央処理装置へと出力している（例えば、特許文献１参照）。
【先行技術文献】
【特許文献】
【０００６】
【特許文献１】特開２０１０−２１９８７号公報
【発明の概要】
【発明が解決しようとする課題】
【０００７】
近年、建物内の天井面に配設される複数の照明器具は、フロアの使用形態に応じて数多くのグループ毎に配設される一方、これら複数の照明器具を有する照明制御システムにおいて省エネルギ化を図ることが望まれている。
【０００８】
しかしながら、従来の監視端末器は、グループ毎に割り当てられたタッチ操作部の数が少ないので、数多くのグループ毎に割り当てられた複数の照明器具のオン／オフを操作指示するためには、さらに複数の監視端末器を増設しなければならず、コストも高価になってしまう。
【０００９】
また、従来の監視端末器は、単にグレープ毎に割り当てられた複数の照明器具をオン／オフ操作指示するとともに、オン／オフ操作指示されたことをＬＥＤ等で表示するのみの構成である。このため、従来の監視端末器は、建物内のどこのエリアでどこのグループの照明器具が点灯しているのかについては使用者に告知することはできず、照明制御システム全体の省エネルギ化を図ることができない。
【００１０】
また、グループのオンオフ操作を行う操作ボタンと全ての照明器具のオンオフ操作を行う操作ボタンとを異なる態様で表示することができない。
【００１１】
そこで、本実施形態は前記問題点に鑑みてなされたもので、複数の監視端末器を増設することなく、複数のグループ毎のオンオフ状態を表示するとともにグループ毎の照明器具をオン／オフ操作することができる操作ボタンと、全ての照明器具をオンするオールオンスイッチ及び全ての照明器具をオフするオールオフスイッチを操作ボタンとは異なる態様で表示することができる監視端末器及びこの監視端末器を用いた照明制御システムを提供することを目的とする。
【課題を解決するための手段】
【００１２】
実施形態の監視端末器は、少なくとも一以上の照明器具で構成されるグループ毎のオン状態とオフ状態の少なくとも２つの表示状態に切り替わる操作ボタンをタッチパネルの表示画面中に複数表示する第１の操作ボタン表示部と、前記タッチパネルの表示画面中に前記照明器具の全てをオンさせるオン操作を指示する一つのオールオンスイッチ及び前記照明器具の全てをオフさせるオフ操作を指示する一つのオールオフスイッチを前記操作ボタンと異なる態様で表示する第２の操作ボタン表示部と、を具備したことを特徴とする。
【００１３】
また、実施形態の照明制御システムは、複数の照明器具と；前記複数の照明器具を制御する制御部と；この制御部と通信を行う請求項１に記載の監視端末器と；を具備したことを特徴とする。
【発明の効果】
【００１４】
実施形態に係る監視端末器及びこの監視端末器を用いた照明システムによれば、複数の監視端末器を増設することなく、複数のグループ毎の照明器具を操作ボタンによって、全ての照明器具を操作ボタンとは異なる態様で表示されたオールオンスイッチ及びオールオフスイッチによってオン／オフ操作することができる。
【図面の簡単な説明】
【００１５】
【図１】実施形態に係る監視端末器を備える照明制御システムの全体構成を示す構成図
【図２】図１の照明制御システムにおける照明器具がエリア毎のグループに割り付けられた構成例を説明するためのフロアの平面図
【図３】図１の監視端末器の構成を示す構成図
【図４】図３の表示切替タグの操作によって消費電力量表示に表示切替された監視端末器の表示例を示す図
【図５】図４の消費電力量表示の変形例を示す積算消費電力量表示に表示切替した場合の監視端末器の表示例を示す図
【図６】図１の中央処理装置のＣＰＵにおける制御例を示すフローチャート
【図７】図１の中央処理装置のＣＰＵにおける消費電力量及び消費積算電力量算出ルーチンを示すフローチャート
【発明を実施するための最良の形態】
【００１６】
実施形態の監視端末器は、少なくとも一以上の照明器具で構成されるグループ毎のオン状態とオフ状態の少なくとも２つの表示状態に切り替わる操作ボタンをタッチパネルの表示画面中に複数表示する第１の操作ボタン表示部と、前記タッチパネルの表示画面中に前記照明器具の全てをオンさせるオン操作を指示する一つのオールオンスイッチ及び前記照明器具の全てをオフさせるオフ操作を指示する一つのオールオフスイッチを前記操作ボタンと異なる態様で表示する第２の操作ボタン表示部と；を具備したことを特徴とする。
【００１７】
本発明及び以下の請求項の各発明に係わる実施形態において、特に限定しない限り、用語の定義及び技術的意味は次による。
【００１８】
照明器具は、例えば、ＬＥＤを光源として用いた照明器具であるが、これに限定されるものではない。但し、光源の応答速度を考慮すると、光源が通常のランプよりもＬＥＤを光源として用いた照明器具であれば、数多くの照明器具を設置した場合でも、迅速に調光制御することができるので有効である。
【００１９】
操作ボタン表示部は、監視端末器の操作画面を構成する１表示画面上に表示された、タッチパネル式の操作ボタンであるが、これに限定されるものではない。例えば、監視端末器の操作画面を２つの表示画面に構成し、一方の表示画面にオン状態の操作ボタン表示部を表示し、他方の表示画面にオフ状態の操作ボタン表示部を表示させてもよい。
【００２０】
監視端末器において、前記第１の操作ボタン表示部は、前記複数の照明器具を制御する制御部と前記監視端末器とが通信を行うことにより前記第１の操作ボタン表示部の表示を行ってもよい。
【００２１】
この構成によれば、制御部から送信されて受信した表示データに基づいて前記複数の操作ボタン表示部の表示を行うことにより、監視端末器の電気的な構成を簡略化できるので、コストの安価な監視端末器を実現できる。
【００２２】
第２の操作ボタン表示部は、前記照明器具の全てをオンさせるオン操作を指示するオールオンスイッチを有する。前記オールオンスイッチは、このオールオンスイッチにより以前に点灯させた全ての照明器具の調光状態が記憶されており、オン操作に、記憶されている前記以前の全ての照明器具の調光状態となるようにオン操作を指示し、あるいは前記全ての複数の照明器具の調光率を所定のリミット値に設定し、この設定した所定のリミット値となるようにオン操作を指示してもよい。
【００２３】
第２の操作ボタン表示部のオールオンスイッチは、オン操作に、記憶されている前記以前の全ての照明器具の調光状態となるようにオン操作を指示し、あるいは全ての複数の照明器具の調光率を所定のリミット値に設定し、この設定した所定のリミット値となるようにオン操作を指示することができるので、全ての照明器具を１度の操作で点灯させることはできることは勿論、省エネルギ化に有効な点灯状態で全ての照明器具を点灯させることができ、省エネルギ化に大きく寄与する。
【００２４】
第２の操作ボタン表示部は、前記照明器具の全てをオフさせるオフ操作を指示するオールオフスイッチを有し、このオールオフスイッチを含むオフ状態にある操作ボタン表示部と、前記オールオンスイッチを含むオン状態にある操作ボタン表示部とは異なる色で表示してもよい。
【００２５】
オールオフスイッチを含むオフ状態にある操作ボタン表示部と、前記オールオンスイッチを含むオン状態にある操作ボタン表示部とを、異なる色で表示することにより、操作者に点灯または消灯しているグループ（エリア）毎の照明器具の点灯／消灯状態を円滑に告知させることができる。例えば、オールオンスイッチを含むオン状態にある操作ボタン表示部を赤色で表示させ、オールオフスイッチ含むオフ状態にある操作ボタン表示部を緑色で表示させることが望ましいが、この色に限定されるものではない。
【００２６】
また、実施形態の照明制御システムは、複数の照明器具と、前記複数の照明器具を制御する制御部と、この制御部と通信を行う請求項１に記載の監視端末器とを具備したことを特徴とする。
【００２７】
端末器は、例えば、複数の照明器具を制御する制御端末器であるが、これに限定されるものではなく、その他、センサ端末器等も含む。この制御端末器は、例えば４回路の照明器具が接続可能で構成されるが、これに限定されるものではなく、例えば８回路の照明器具が接続可能に構成されていてもよい。
【００２８】
また、端末器は、制御信号等を有線で伝送する有線伝送式のコントローラで構成するが、例えば、制御信号を無線で伝送する無線伝送式のコントーラで構成してもよい。
【００２９】
このような構成の照明制御システムによれば、簡単な構成で、かつ低コストで、省エネルギ化を図ることができる、監視端末器を備えた照明制御システムを構築することができる。
（実施の形態）
【００３０】
図１は、本実施形態に係る監視端末器を備えた照明制御システムの全体構成を示す構成図である。
【００３１】
図１に示す照明制御システム１は、例えば、オフィスビルや各種施設などの各フロアや各エリアなどの照明エリア毎に設置される照明器具を遠隔制御する中央処理装置２を有している。
【００３２】
この中央処理装置２には、２線伝送線（以下、伝送ラインと称す）３を介して本実施形態の監視端末器を構成する壁スイッチ４、後述する複数の制御端末器Ｓ１、Ｓ２、Ｓ３、…Ｓｎ（ｎは整数）、センサ端末器５、ワイヤレス受信器６、７、人感センサ８が接続される。また、ワイヤレス受信器６に対して赤外線で信号を送信するワイヤレス送信器９と、ワイヤレス受信器７に対して赤外線で信号を送受するワイヤレス送受信器１０とが設けられている。
【００３３】
壁スイッチ４、複数の制御端末器Ｓ、センサ端末器５、ワイヤレス受信器６、７、人感センサ８、ワイヤレス送信器９、及びワイヤレス送受信器１０は、伝送ライン３に接続される照明用機器を構成し、これら複数の照明用機器は、伝送ライン３を介して中央処理装置２によって制御される。すなわち、中央処理装置２は、本システムを統括的に制御する。    そして、前記制御端末器Ｓは、伝送ライン３を介して中央処理装置２に接続されて、対応する照明器具を制御することができる。
【００３４】
なお、伝送ライン３に接続される制御端末器Ｓに接続される照明器具には、リレー回路（以下、リレーという）によりオン／オフされる照明器具が含まれる。
【００３５】
壁スイッチ４は、各照明器具又は複数の照明器具の集合であるグループに対応したオン、オフスイッチを有しており、ユーザのスイッチ操作に基づいて、対応する照明器具又は複数の照明器具からなるグループをオンにするかオフにするかのオンオフ操作信号を中央処理装置２に出力する。なお、壁スイッチ４の具体的な構成については後述する。
【００３６】
複数の制御端末器Ｓ１、Ｓ２、Ｓ３、…Ｓｎは、例えば４回路の照明器具がそれぞれ接続可能であり、このような複数の制御端末器Ｓ１、Ｓ２、Ｓ３、…Ｓｎが伝送ライン３に接続されている。なお、照明器具としては、例えば、ランプや発光ダイオード（ＬＥＤ）などの光源を用いた照明器具が用いられている。
【００３７】
また、リレーが設けられた構成では、このリレーは、接続された複数の照明器具に対して点灯及び消灯制御を行うものであり、中央処理装置２から照明制御信号を受信することによって対応する照明器具の点灯及び消灯を行うものである。
【００３８】
センサ端末器５は、例えば、机上面の照度を一定制御するために照明器具を調光制御するための端末器である。このセンサ端末器５は、伝送インタフェ−スを介して伝送ライン３に接続される。また、センサ端末器５は、光を検出するセンサ部、表示部、センサ端末器５のアドレスデ−タを記憶するメモリを有している。
【００３９】
ワイヤレス送信器９は、照明器具の点灯／消灯情報を例えば、赤外線でワイヤレス受信器６に送信する。このワイヤレス送信器９は、伝送ライン３に接続可能とする伝送インタフェ−ス、照明制御情報を赤外線で送信する赤外線送信部、ワイヤレス送信器９のアドレスデ−タを記憶するメモリ等を有して構成されている。
【００４０】
ワイヤレス送受信器１０は、照明器具の点灯、消灯情報等をワイヤレス受信器７との間で赤外線により送受信するための端末器である。このワイヤレス送受信器１０は、赤外線を送信する赤外線送信部、赤外線を受信する赤外線受信部、照明器具を点灯、消灯制御するための操作ボタン、ワイヤレス送受信器１０のアドレスデ−タを記憶するメモリを有して構成されている。
【００４１】
人感センサ８は、人の存在を検知して照明器具を点灯制御するための端末器である。この人感センサ８は、伝送インタフェ−スを介して伝送ライン３に接続される。さらに、この人感センサ８は、人の存在を人から放射される赤外線を検知する赤外線検出部、人感センサ８のアドレスデ−タを記憶するメモリを有して構成されている。
【００４２】
ワイヤレス受信器６は、ワイヤレス送信器９から送信される赤外線信号を受信する。このワイヤレス受信器６は、伝送インタフェ−スを介して伝送ライン３に接続される。また、このワイヤレス受信器６には、ワイヤレス受信器６のアドレスデ−タを記憶するアドレス設定部、赤外線を受信する赤外線受信ユニットが設けられている。なお、ワイヤレス受信器６は、赤外線を送信可能とするための赤外線送信ユニットを有している。
【００４３】
ワイヤレス受信器７は、ワイヤレス送受信器１０から送信される赤外線信号を受信する。このワイヤレス受信器７は、伝送インタフェ−スを介して伝送ライン３に接続される。また、このワイヤレス受信器７には、ワイヤレス受信器７のアドレスデ−タを記憶するアドレス設定部、赤外線を受信する赤外線受信ユニットが設けられている。なお、ワイヤレス受信器７は、赤外線を送信可能とするための赤外線送信ユニットを有している。
【００４４】
このような照明制御システム１では、中央処理装置２と複数の照明用機器とが伝送ライン３を介して通信することにより、中央処理装置２は、照明器具を統合的に管理して、複数の制御端末器Ｓ１、Ｓ２、Ｓ３、…Ｓｎに接続された照明器具の点灯及び消灯制御、調光制御が可能である。
【００４５】
図１に示す照明制御システム１において、中央処理装置２は、制御部を構成するＣＰＵ２ａと、ＲＯＭ２ｂと、図示しない操作部とを有し、それぞれが図示しないバスを介して接続されて構成される。
【００４６】
ＣＰＵ２ａは、壁スイッチ４からのオン／オフ操作指示信号に基づき、複数の照明器具を制御するための制御信号を生成し、この生成した制御信号を、伝送ライン３を介して複数の制御端末器Ｓ１、Ｓ２、Ｓ３、…Ｓｎに出力する。
【００４７】
ＲＯＭ２ｂは、制御部であるＣＰＵ２ａが制御端末器Ｓ及び壁スイッチ４の操作に基づき照明器具を調光制御するのに必要なプログラムや、制御端末器Ｓ等の照明用機器との通信を行って照明器具に制御信号を出力したり動作状態を監視したりするのに必要なプログラム等を格納している。
【００４８】
また、ＲＯＭ２ｂは、予め設定されたエリア毎のグループの照明器具の調光率等の制御状態を示す制御情報や、この調光率のリミット値等の設定値、さらには壁スイッチ４と制御端末器Ｓに接続されている照明器具との対応関係（割り付け）情報、エリア毎のグループの照明器具のスケジュール情報等を格納している。
【００４９】
ＣＰＵ２ａは、ＲＯＭ２ｂに格納された所定のプログラムを実行することで、照明制御システム１全体の調光制御を行ったり、後述するが壁スイッチ４の表示データを生成して伝送ライン３を介して壁スイッチ４に出力して該壁スイッチ４の表示制御をしたり監視制御する。
【００５０】
なお、図示しない操作部は、壁スイッチ４、制御端末器Ｓ、センサ端末器５等のアドレス設定、Ｒ０Ｍ２ａ、ＲＡＭ内に格納するデータの設定、あるいは制御端末器Ｓを介して照明器具の点灯及び消灯制御、調光制御等を行うための操作指示を入力するための操作手段である。
【００５１】
次に、本実施形態の監視端末器を構成する壁スイッチ４の構成について図２〜図４を用いて説明する。
【００５２】
図２は、図１の照明制御システムにおける照明器具がエリア毎のグループに割り付けられた構成例を説明するためのフロアの平面図、図３は、図１の監視端末器の構成を示す構成図、図４は、図３の表示切替タグの操作によって消費電力量表示に表示切替された監視端末器の表示例を示す図である。
【００５３】
図２に示すフロア２０の天井には、例えば、中央処理装置２に接続されたグループ２１〜４０を構成する複数の制御端末器Ｓ１〜Ｓ６７が配設されている。なお、各制御端末器Ｓには、複数の照明器具が夫々接続されている。
【００５４】
このレイアウトでは、例えば、グループ２１を構成する制御端末器Ｓ１〜Ｓ４がフロア２０内の廊下東側のエリアに配設され、グループ２２を構成する制御端末器Ｓ５〜Ｓ８がフロア２０内の廊下西側のエリアに配設され、グループ２３を構成する制御端末器Ｓ９〜Ｓ１１がフロア２０内の廊下南側のエリアに配設され、さらに、グループ２４を構成する制御端末器Ｓ１２〜Ｓ１４がフロア２０内の廊下北側のエリアに配設されている。
【００５５】
さらに、フロア２０全体がエレベータホールを介して北側と南側との２つの大きなフロアに分けられており、南側のフロアが例えば２つのロッカールームを含み６つのエリアに分けられ、北側のフロアが例えば２つのロッカールームを含み５つのエリアに分けられている。
【００５６】
南側のフロアのレイアウトでは、例えば、グループ２５を構成する制御端末器Ｓ１５〜Ｓ１８がフロア１のエリアに配設され、グループ２６を構成する制御端末器Ｓ１９〜Ｓ２２がフロア２のエリアに配設され、グループ２７を構成する制御端末器Ｓ２３〜Ｓ２６がフロア３のエリアに配設されている。さらに、グループ２８を構成する制御端末器Ｓ２７〜Ｓ３０がフロア４のエリアに配設され、グループ２９を構成する制御端末器Ｓ３１〜Ｓ３４がフロア５のエリアに配設され、グループ３０を構成する制御端末器Ｓ３５〜Ｓ３８がフロア６のエリアに配設されている。
【００５７】
北側のフロアのレイアウトでは、例えば、グループ３１を構成する制御端末器Ｓ３９〜Ｓ４１がフロア７のエリアに配設され、グループ３２を構成する制御端末器Ｓ４２〜Ｓ４４がフロア８のエリアに配設され、グループ３３を構成する制御端末器Ｓ４５〜Ｓ４７がフロア９のエリアに配設されている。さらに、グループ３４を構成する制御端末器Ｓ４８〜Ｓ５３がフロア１０のエリアに配設され、グループ３５を構成する制御端末器Ｓ５４〜Ｓ５９がフロア１１のエリアに配設されている。
【００５８】
また、グループ３６を構成する制御端末器Ｓ６０〜Ｓ６３が前記北側と南側との２つの大きなフロアの間に配置されたエレベータホールのエリアに配設されている。
【００５９】
また、フロア１の東側にはロッカールーム１が隣接され、フロア２の東側にはロッカールーム２が隣接されている。ロッカールーム１のエリアには、グループ３７を構成する制御端末器Ｓ６４が配設され、ロッカールーム２のエリアには、グループ３８を構成する制御端末器Ｓ６５が配設されている。
【００６０】
さらに、フロア９の西側にはロッカールーム３が隣接され、フロア１１の西側にはロッカールーム４が隣接されている。ロッカールーム３のエリアには、グループ３９を構成する制御端末器Ｓ６６が配設され、ロッカールーム４のエリアには、グループ４０を構成する制御端末器Ｓ６７が配設されている。
【００６１】
なお、図２において、２つのフロア内に設けられた各エリアの境界、及びロッカールームとの境界は、二点鎖線で示している。
【００６２】
そして、本実施形態の壁スイッチ４は、例えば、各フロアの出入り口近傍にそれぞれ配設されている。なお、図２のレイアウトでは、２つの壁スイッチ４を配設したが、例えば、出入り口が１つで大きなフロアである場合には、１つの壁スイッチ４を配設してもよい。
【００６３】
本実施形態の監視端末器を構成する壁スイッチ４は、上記した図２に示すレイアウトのように複数の照明器具が割り当てられたグループが数多く存在する照明制御システムであっても、他の監視端末器を増設することなく、１つの壁スイッチ４で、全てのエリア毎のグループの照明器具のオン／オフを操作指示することが可能である。
【００６４】
本実施形態において、監視端末器を構成する壁スイッチ４は、複数の照明器具が配置されたエリア毎の操作ボタンを表示する複数の操作ボタン表示部１２、１３を有し、この操作ボタン表示部１２、１３は、タッチパネル式の操作ボタンであって、前記複数の照明器具を制御する制御部であるＣＰＵ２ａと通信を行うことにより、複数の照明器具のオン状態とオフ状態の少なくとも２つの表示状態に切り替わるとともに、複数の照明器具の調光率または消費電力量を表示するように構成される。
【００６５】
また、操作ボタン表示部１２、１３の表示データは、中央処理装置２の制御部であるＣＰＵ２ａから送信されて受信した表示データであり、壁スイッチ４は、この受信した表示データに基づいて複数の操作ボタン表示部１２、１３の表示を行う。
【００６６】
具体的な構成を説明すると、図３に示すように、壁スイッチ４は、タッチパネル式の例えば液晶ディスプレイ型の入力装置を構成するものであって、このディスプレイの画面上には、操作画面４Ａが表示される。
【００６７】
この操作画面４Ａは、スイッチタグ１１と、操作ボタン表示部１２、１３と、スイッチタグ１１に隣接して表示される表示切替タグ１４と、を有する。スイッチタグ１１は、この操作画面４Ａがスイッチであることを使用者に告知する表示部である。
【００６８】
操作ボタン表示部１２は、オールオンスイッチ１２ａと、オールオフスイッチ１２ｂを有する。オールオンスイッチ１２ａは、エリア全ての照明器具をオンさせるオン操作を指示するスイッチである。また、オールオフスイッチ１２ｂは、エリア全ての照明器具をオフさせるオフ操作を指示するスイッチである。
【００６９】
また、オールオンスイッチ１２ａの近傍には、情報表示部１２ｃが表示される。この情報表示部１２ｃは、オンしている全ての照明器具の調光率［％］を表示する。この情報表示部１２ｃは、表示切替タグ１４を押下することにより、情報表示部の表示モードが切り替わり、例えば、図４に示すように、オンしている全ての照明器具の消費電力量［ｋｗ］が表示される情報表示部１２ｘに切り換えられる。
【００７０】
操作ボタン表示部１３は、複数の照明器具が配置されたエリア毎のグループの操作ボタン１３Ａ〜１３Ｔを有する。    すなわち、操作ボタン１３Ａは、廊下東側のグループ２１のエリアの照明器具のオン／オフ操作をするために割り当てられたスイッチであり、内部にそのエリアの照明器具の調光率を表示する情報表示部１３ａを有する。
【００７１】
操作ボタン１３Ｂは、廊下西側のグループ２２のエリアの照明器具のオン／オフ操作をするために割り当てられたスイッチであり、内部にそのエリアの照明器具の調光率を表示する情報表示部１３ｂを有する。
【００７２】
操作ボタン１３Ｃは、廊下南側のグループ２３のエリアの照明器具のオン／オフ操作をするために割り当てられたスイッチであり、内部にそのエリアの照明器具の調光率を表示する情報表示部１３ｃを有する。
【００７３】
操作ボタン１３Ｄは、廊下北側のグループ２４のエリアの照明器具のオン／オフ操作をするために割り当てられたスイッチであり、内部にそのエリアの照明器具の調光率を表示する情報表示部１３ｄを有する。
【００７４】
同じように、操作ボタン１３Ｅ〜１３Ｏは、それぞれのフロア１〜１１のグループ２５〜グループ３５の各エリアの照明器具のオン／オフ操作をするために割り当てられたスイッチであり、それぞれ内部に対応するエリアの照明器具の調光率を表示する情報表示部１３ｅ〜１３ｏを有する。
【００７５】
また、操作ボタン１３Ｐは、エレベータホールのグループ３６のエリアの照明器具のオン／オフ操作をするために割り当てられたスイッチであり、内部にそのエリアの照明器具の調光率を表示する情報表示部１３ｐを有する。
【００７６】
さらに、操作ボタン１３Ｑ〜１３Ｔは、それぞれのロッカー１〜４のグループ３７〜グループ４０の各エリアの照明器具のオン／オフ操作をするために割り当てられたスイッチであり、それぞれ内部に対応するエリアの照明器具の調光率を表示する情報表示部１３ｑ〜１３ｔを有する。
【００７７】
なお、これら複数の操作ボタン１３Ａ〜１３Ｔの各情報表示部１３ａ〜１３ｔは、表示切替タグ１４の押下によって情報表示部の表示モードが切り替わると、例えば、図４に示すように、各エリア毎の照明器具の消費電力量［ｋｗ］がそれぞれ表示される情報表示部１３ａ１〜１３ｔ１に切り換えられるようになっている。
【００７８】
また、図４に示す情報表示部１２ｘは、さらに表示切替タグ１４を押下することにより、例えば、図５の変形例１に示すように、オンしている全ての照明器具の消費積算電力量［ｋｗh］が表示される情報表示部１２ｙに切り換えられるようにしてもよい。
【００７９】
この場合、これら複数の操作ボタン１３Ａ〜１３Ｔの各情報表示部１３ａ１〜１３ｔ１は、表示切替タグ１４の押下によって情報表示部の表示モードが切り替わると、図５に示すように、各エリア毎の照明器具の消費積算電力量［ｋｗｈ］がそれぞれ表示される情報表示部１３ａ２〜１３ｔ２に切り換えられるようになっている。図５は、図４の消費電力量表示の変形例を示す積算消費電力量表示に表示切替した場合の監視端末器の表示例を示す図である。
【００８０】
また、本実施形態において、壁スイッチ４は、オールオンスイッチ１２ａを含むオン状態にある操作ボタンと、オールオフスイッチ１２ｂを含むオフ状態にある操作ボタンとは異なる色で表示される。
【００８１】
図３に示す例では、オールオンスイッチ１２ａ、操作ボタン１３Ａ、１３Ｂ、１３Ｃ、１３Ｅ、１３Ｈ、１３Ｉ、１３Ｊ、１３Ｋ、１３Ｍ、１３Ｐ、及び１３Ｔが、オン状態であり、例えば赤色で表示される。
【００８２】
一方、オールオフスイッチ１２ｂ、操作ボタン１３Ｄ、１３Ｆ、１３Ｇ、１３Ｌ、１３Ｎ、１３Ｏ、１３Ｑ、１３Ｒ、及び１３Ｓが、オフ状態であり、例えば緑色で表示される。    なお、オン／オフ状態を示す色は、赤色、緑色に限定されるものではなく、使用者が一目で認識できるような色に適宜変更可能である。また、オン状態を示す操作ボタンについては点滅表示させて解りやすく表示させてもよい。
【００８３】
したがって、このように壁スイッチ４の操作ボタン表示部１２、１３をオン／オフ状態に応じて異なる色に表示することにより、使用者は一目で、どこのエリアの照明器具がオン／オフしているのかを認識することができる。
【００８４】
このような壁スイッチ４の操作画面４Ａを構成する操作ボタン表示部１２、１３の表示データは、中央処理装置２のＣＰＵ２ａから送信される。そして、壁スイッチ４は、この表示データを受信し、この受信した表示データに基づいて操作画面４Ａの複数の操作ボタン表示部１２、１３の表示を行う。
【００８５】
なお、壁スイッチ４は、周知のタッチパネル式のスイッチ構造を有して構成されており、少なくとも受信した表示データに基づく表示制御を行うＣＰＵ、ＲＯＭ、ＲＡＭや、タッチパッド等の入力装置、さらには制御部であるＣＰＵ２ａとの通信機能を有して構成される。
【００８６】
次に、上記構成の壁スイッチ４の表示制御を行う中央処理装置の制御例について図６及び図７を用いて説明する。図６は、図１の中央処理装置のＣＰＵにおける制御例を示すフローチャート、図７は、図１の中央処理装置のＣＰＵにおける消費積算電力量算出ルーチンを示すフローチャートである。
【００８７】
中央処理装置２のＣＰＵ２ａは、ＲＯＭ２ｂ内から読み出した図６に示すルーチンを常に実行している。すなわち、ＣＰＵ２ａは、ステップＳ１００の処理において、監視端末器である壁スイッチ４による操作、又はＲＯＭ２ｂに格納しているスケジュール情報に変化が有るか否かを判断している。
【００８８】
この場合、ＣＰＵ２ａは、壁スイッチ４からの操作信号を受信、またはスケジュール情報に変化があったと判断した場合には、処理をステップＳ１０１に移行し、変化がない場合には、変化があるまで該ステップＳ１００の判断処理を継続する。
【００８９】
ステップＳ１０１の処理では、ＣＰＵ２ａは、指定された調光率、つまりＲＯＭ２ｂ内に格納している予め設定された調光率で指定されたグループの照明機器を点灯するための制御信号を生成し、この制御信号を、受信したオンオフ操作信号に基づくグループの制御端末器Ｓに出力する。
【００９０】
この場合、オールオンスイッチ１２ａがオン操作されたとすると、ＣＰＵ２ａは、ＲＯＭ２ｂに記憶されている照明器具の制御情報を用いて、以前の全ての照明器具の調光状態となるような制御信号を生成し出力する。以前の全ての照明器具の調光状態とは、オールオンスイッチ１２ａによって点灯された全ての照明器具の調光状態であり、オールオフスイッチ１２ｂのオフ操作によって消灯される直前の全ての照明器具の調光状態である。
【００９１】
あるいは、ＣＰＵ２ａは、全ての複数の照明器具の調光率をＲＯＭ２ｂ内に記憶されている所定のリミット値に設定し、この設定した所定のリミット値となるような制御信号を生成し出力する。
【００９２】
なお、設定によっては、ＣＰＵ２ａは、所定のリミット値以上の調光率のグループの照明器具のみを点灯する制御信号を生成して出力し、所定のリミット値に満たない調光率の照明器具のグループについては点灯しないように制御することも可能である。この場合、ＣＰＵ２ａは個々の操作ボタンによってオン操作されたとしても点灯しないように制御する。
【００９３】
制御信号の出力制御後、ＣＰＵ２ａは、続くステップＳ１０２の処理により、前記ステップＳ１０１にて出力された制御信号に対応する操作ボタンのオン／オフ表示、調光率、あるいは消費電力量を表示するように、壁スイッチ４の操作ボタン表示部１２、１３の表示データの生成処理を行う。
【００９４】
その後、ＣＰＵ２ａは、続くステップＳ１０３の処理にて、生成した壁スイッチ４の表示データを、伝送ライン３を介して壁スイッチ４に出力する。これにより、壁スイッチ４は、伝送ライン３を介して出力された表示データを受信し、この受信した表示データに基づく表示を行うことにより、壁スイッチ４の画面には、現在の制御状態が示されている、図３に示す操作ボタン表示部１２、１３を有する操作画面４Ａが表示される。
【００９５】
その後、ＣＰＵ２ａは、処理をステップＳ１００に戻し、壁スイッチ４による操作、又はスケジュールの変化があるまで、該ステップＳ１００の処理を継続する。
【００９６】
また、中央処理装置２のＣＰＵ２ａは、前記図６に示す処理ルーチンを実行中に、常に図７に示す消費電力量及び消費積算電力量の算出処理ルーチンを実行している。
【００９７】
すなわち、ＣＰＵ２ａは、ステップＳ２００の処理にて、制御信号等の制御情報を用いて現在の全ての照明器具の出力状態を検出し、続くステップＳ２０１の処理にて、この検出した全ての照明器具の出力状態を用いて、消費電力量及び消費積算電力量の演算処理を行い、演算処理された消費電力量及び消費積算電力量のデータをＲＯＭ２ｂに記憶させ、適宜壁スイッチ４の表示データを作成する際に用いられる。
【００９８】
なお、積算消費積算電力量のデータは、例えば、一時間毎、一日毎、又は一ヶ月毎に演算処理されたデータであり、必要に応じて適宜設定すればよい。
【００９９】
以上、説明したように、本実施形態の壁スイッチ４では、タッチパネル式の操作ボタンである操作ボタン表示部１２、１３は、制御部のＣＰＵ２ａと通信を行うことにより、エリア毎の複数の照明器具のオン状態とオフ状態の少なくとも２つの表示状態に切り替わるとともに、エリア毎の複数の照明器具の調光率または消費電力量を表示することができる。
【０１００】
この構成により、本実施形態の壁スイッチ４では、２０個のエリア毎のグループの照明器具のオン／オフ操作を行うことができるため、別の監視端末器である壁スイッチを設ける必要がなく、照明制御システムにおけるコストを低減することができる。
【０１０１】
また、壁スイッチ４の操作ボタン表示部１２、１３には、エリア毎の複数の照明器具の調光率または消費電力量が表示されるため、使用者にエリア毎の照明器具の制御情報を告知することができ、よって省エネルギ化に大きく寄与する。
【０１０２】
さらに、壁スイッチ４は、オールオンスイッチ１２ａを含むオン状態にある操作ボタンと、オールオフスイッチ１２ｂを含むオフ状態にある操作ボタンは異なる色で表示されるので、使用者にエリア毎の照明器具の制御情報を告知することができる  したがって、本実施形態によれば、複数の監視端末器を増設することなく、複数のグループ毎の照明器具をオン／オフ操作することができるとともに、グループ毎の照明器具の調光率または消費電力量を表示することで、省エネルギ化を図ることができる安価な監視端末器及びこの監視端末器を用いた照明制御システムを実現できる。
【０１０３】
なお、本実施形態において、制御端末器Ｓは、例えば４回路の照明器具が接続可能に構成されるが、これに限定されるものではなく、例えば、８回路の照明器具が接続可能に構成されていてもよい。
【０１０４】
また、本実施形態において、壁スイッチ４の操作ボタン表示部１３は、２０個のエリアに対応した操作ボタン１３Ａ〜１３Ｔを有して構成されたものであるが、これに限定されるものではなく、フロアのレイアウトに応じて適宜エリア数及び操作ボタン数を設定すればよい。
【０１０５】
本発明は、上述した実施の形態及び変形例に限定されるものではなく、本発明の要旨を変えない範囲において、種々の変更、改変等が可能である。
【符号の説明】
【０１０６】
１…照明制御システム
２…中央処理装置
３…伝送ライン
４…壁スイッチ（監視端末器）
４Ａ…操作画面
５…センサ端末器
６…ワイヤレス受信器
７…ワイヤレス受信器
８…人感センサ
９…ワイヤレス送信器
１０…ワイヤレス送受信器
１１…スイッチタグ
１２、１３…操作ボタン表示部
１２ａ…オールオンスイッチ
１２ｂ…オールオフスイッチ
１２ｃ、１２ｘ、１２ｙ…情報表示部
１３Ａ〜１３Ｔ…操作ボタン
１３ａ〜１３ｔ…情報表示部
１４…表示切替タグ
２０…フロア
２１〜４０…グループＳ…制御端末器
【図１】
2017084815.tif 000003
【図２】
2017084815.tif 000004
【図３】
2017084815.tif 000005
【図４】
2017084815.tif 000006
【図５】
2017084815.tif 000007
【図６】
2017084815.tif 000008
【図７】
2017084815.tif 000009